(57)【要約】【課題】フランジにロープを堅固に掛止でき、しかもフランジに対する掛止作業および掛止解除作業が容易で、さらに低コストで製造可能な安全帯用ロープ掛止具を提供する。【解決手段】安全帯用ロープ掛止具１０の使用時に、アングル鋼１３に対する両フック１６，１７の掛止方向が互いに略９０°異なり、しかもこの角度関係を維持可能なようにロック手段１８により両フック１６，１７を結合させるので、アングル鋼１３にロープ１５を堅固に掛止できる。しかも、アングル鋼１３に対する掛止および掛止解除作業が容易となる。さらに、従来のようにコストが嵩張るローラを使用しないので、低コスト化も図れる。【選択図】図１
2007075351.tif 000002
【特許請求の範囲】
【請求項１】
構造物の壁板の上端部で該壁板の略厚さ方向に屈曲したフランジに、安全帯に連結されたロープを掛止する安全帯用ロープ掛止具であって、
対向状態で離間した１対の第１の側辺部の一端同士を第１の奥辺部により全体が略コの字形となるように連結した構造を有し、一方の前記第１の側辺部には前記ロープが連結され、かつ両第１の側辺部間で前記フランジを前記壁板の厚さ方向から挟み込むように、該フランジに上方から掛止される第１のフックと、
対向状態で離間した１対の第２の側辺部の一端同士を第２の奥辺部により全体が略コの字形となるように連結した構造を有し、かつ両第２の側辺部間で前記フランジを上下方向から挟み込むように、前記壁板に対するフランジの屈曲方向から該フランジに掛止される第２のフックと、
前記フランジに対する第１のフックの掛止状態と、前記フランジに対する第２のフックの掛止状態とをそれぞれ維持するように両フックを結合させるロック手段とを備えた安全帯用ロープ掛止具。
【請求項２】
前記両第１のフックは板材からなり、一方の前記第１の側辺部は、前記一端とは反対側の他端に向かうほど徐々に他方の前記第１の側辺部に向かって傾斜し、該他方の第１の側辺部は、前記一方の第１の側辺部より長さが短く、かつ前記壁板の上端部の構造物内側に掛止可能で、
前記第２のフックは板材からなり、前記第２の奥辺部は、回動ピンを介して、前記第１の側辺部と前記奥辺部との連結部分付近に軸支され、
前記ロック手段は、前記第１のフックと前記第２のフックとの間に設けられ、かつ前記第１のフックの内側空間と前記第２のフックの内側空間との間に、前記フランジおよび前記壁板のフランジとの連結部分をそれぞれ若干の隙間を有して収納可能な逆Ｌ字収納空間が現出される位置で、両フックを結合させるように構成された請求項１に記載の安全帯用ロープ掛止具。
【請求項３】
前記ロック手段は、両フックにそれぞれ形成された１対のピン孔に、ロックピンを一連に抜き差しするピン掛止構造を有したものである請求項１または請求項２に記載の安全帯用ロープ掛止具。
【発明の詳細な説明】
【技術分野】
【０００１】
この発明は安全帯用ロープ掛止具、詳しくは例えば高所からの作業者が墜落および転落を防止するため、作業者の身体に装着される安全帯のロープを、頂部が逆Ｌ字形状となった構造物に掛止する安全帯用ロープ掛止具に関する。
【背景技術】
【０００２】
例えば石油コンビナートには、石油が充填された浮き屋根式タンク（フローティングタンク）が構築されている。浮き屋根式タンクは、底壁によって下側開口部が塞がれた円筒形状の外周壁と、外周壁の内部空間に貯液された石油の液面に浮く屋根板とを備えている。外周壁の上部の外周側には、補強部材であるウインドガータが設けられている。
浮き屋根式タンクの上部には、例えば固定式の泡消火設備が設置されている。その点検は定期的に行うように法律で定められている。この点検作業は、ウインドガータに作業者が搭乗して行われている。
ところが、タンクの上部には、作業者の安全を確保する手摺りなどが存在しない。そのため、作業者は安全帯を携帯しても、消火設備などにたどり着き、点検が終了するまでは、墜落や転落の事故から身をまもるすべがなかった。そこで、消火設備の周辺に手摺りなどを仮設することも行われていた。しかしながら、これでは仮設工事を行う作業者が危険に晒されてしまう。
【０００３】
そこで、これを解消する従来手段として、例えば特許文献１の「安全帯ロープの固定装置」が知られている。これは、周側壁の上端部のフランジ部分を構成したアングル鋼の屈曲部の内側に当てがわれる内側ローラと、前記屈曲部の外側に当てがわれる外側ローラと、両ローラが所定間隔をあけてそれぞれ軸支され、かつ安全帯のロープの先部が連結される保持板とを備えたものである。
使用時には、アングル鋼の屈曲部の内側または外側に、対応する内側ローラと外側ローラとをそれぞれ正確に当てがう。これにより、特許文献１が前記周側壁のフランジ部分に、その長さ方向にスライド自在に装着される。その結果、作業者は安全にウインドガータ上を歩行することができる。
【特許文献１】実開平５−１８５４７号公報
【発明の開示】
【発明が解決しようとする課題】
【０００４】
しかしながら、特許文献１によれば、使用に際して、アングル鋼の屈曲部の内外側に、対応する内側ローラと外側ローラとをそれぞれ正確に当てがう必要があった。そのため、前記フランジに対する特許文献１の掛止作業および掛止解除の作業がそれぞれ面倒であった。
しかも、安全性の確保の点から、大きく堅固なローラを１対搭載しているため、特許文献１の重量が嵩むとともに、コスト高にもなっていた。
【０００５】
すなわち、この発明は、フランジにロープを堅固に掛止することができ、しかもフランジに対する掛止作業および掛止解除作業が容易で、さらに低コストで製造することができる安全帯用ロープ掛止具を提供することを目的としている。
また、この発明は、軽量で持ち運びがし易く、フランジにロープを堅固に掛止したまま、作業者がフランジの長さ方向に自由に移動することができる安全帯用ロープ掛止具を提供することを目的としている。
さらに、この発明は、ロック手段の構造が簡単で、製造も容易な安全帯用ロープ掛止具を提供することを目的としている。
【課題を解決するための手段】
【０００６】
請求項１に記載の発明は、構造物の壁板の上端部で該壁板の略厚さ方向に屈曲したフランジに、安全帯に連結されたロープを掛止する安全帯用ロープ掛止具であって、対向状態で離間した１対の第１の側辺部の一端同士を第１の奥辺部により全体が略コの字形となるように連結した構造を有し、一方の前記第１の側辺部には前記ロープが連結され、かつ両第１の側辺部間で前記フランジを前記壁板の厚さ方向から挟み込むように、該フランジに上方から掛止される第１のフックと、対向状態で離間した１対の第２の側辺部の一端同士を第２の奥辺部により全体が略コの字形となるように連結した構造を有し、かつ両第２の側辺部間で前記フランジを上下方向から挟み込むように、前記壁板に対するフランジの屈曲方向から該フランジに掛止される第２のフックと、前記フランジに対する第１のフックの掛止状態と、前記フランジに対する第２のフックの掛止状態とをそれぞれ維持するように両フックを結合させるロック手段とを備えた安全帯用ロープ掛止具である。
【０００７】
請求項１に記載の発明によれば、安全帯用ロープ掛止具の使用時（フランジへの掛止時、フランジへの固定時）には、第２のフックをフランジに対して、両第２の側辺部間でフランジを上下方向から挟み込むように、壁板に対するフランジの屈曲方向からフランジの元部側に向かって差し込む（外挿する）ことで掛止する。その後、第１のフックを、両第１の側辺部間でフランジを壁板の厚さ方向から挟み込むように、このフランジに上方から被せて掛止する。
安全帯用ロープ掛止具の掛止解除時（フランジへの取り外し時）には、上述した操作とは反対に、第１のフックをフランジの上方に向かって移動させるとともに、第２のフックをフランジから、先ほどの掛止時とは向きが逆となる方向に引き抜く。
【０００８】
このように、使用時に、フランジに対する両フックの掛止方向が互いに略９０°異なり（略直交し）、しかもこの角度関係を維持可能なようにロック手段により両フック同士を結合するようにしたので、安全帯用ロープ掛止具を利用し、ロープをフランジに堅固に掛止することができる。しかも、フランジに対する掛止作業および掛止解除作業が容易となる。さらに、従来のようにコストが嵩張るローラを使用しないので、低コスト化も図ることができる。
【０００９】
安全帯用ロープ掛止具の用途としては、例えば、浮き屋根式タンクの上端部に周設されたウインドガータ上での歩行時や各種の作業を行う際に、作業者の安全確保のために使用することができる。
構造物とは、浮き屋根式タンクなどを採用することができる。
安全帯用ロープ掛止具が使用される構造物の壁板は、屋内用または屋外用の何れでもよい。また、垂直な壁板でもよいし、水平な壁板でもよい。さらには傾斜壁でもよい。しかも、壁板は平坦なものでも、湾曲したものでもよい。例えば、筒形状（円筒形状、角筒形状など）の壁板でもよい。
フランジとは、壁板の上端部において、壁板の一側方に向かって略直角に屈曲した鍔形状の突出部分である。例えば、アングル鋼などにより構成される。
【００１０】
安全帯の構造は限定されない。例えば作業者の腰部に巻き付けるだけのものでもよい。
ロープの素材としては、例えばガラス繊維、各種の天然繊維、各種の金属繊維を採用することができる。
第１のフックおよび第２のフックの素材としては、例えば各種の合成樹脂（ＦＲＰ樹脂、ＡＢＳ樹脂、ポリカーボネートなど）、各種の金属（鉄、鋼など）を採用することができる。両フックは同じ素材でもよいし、互いに異なる素材でよい。
【００１１】
略コの字形状を有した第１のフックとしては、互いに平行で長さも同じ１対の第１の側辺部の一端（一端部）間を、第１の奥辺部により連結した構造のものなどを採用することができる。その他の第１のフックとしては、例えば、両第１の側辺部の構成として、互いに平行ではあるが長さが異なるものとしたもの、また両第１の側辺部が互いに平行状態ではないものの長さが同じもの、さらに両第１の側辺部が互いに平行状態ではないだけでなく長さも異なるものなどを採用することができる。また、第１のフックとして、その略コの字の開口側（対向配置される両第１の側辺部の先端側）が下向きで、両第１の側辺部の長さに差を有し、かつ長尺な一方の第１の側辺部を、第１の奥辺部とは反対側に向かうほど徐々に短尺な他方の第１の側辺部側に傾けた７字形状などを採用してもよい。
【００１２】
両フックは互いに分離した状態でもよい。また、両フックは互いに移動（回動を含む）可能な連結状態でもよい。例えば、両フックの一部分同士をそれぞれ湾曲自在な帯状物、紐状物または糸状物で連結したものでもよい。また、両フックは１本の回動ピン（ボルトを含む）を介して回動自在に連結したものでもよい。
ロック手段の構造は限定されない。例えば、両フックに配設された１対のピン孔に、一連にロックピンを抜き差しするピン掛止構造を採用したものでもよい。また、両フックの一方にロックピンを突設し、両フックの他方に、このロックピンに対応する掛止フックを取り付けたものでもよい。
【００１３】
請求項２に記載の発明は、前記両第１のフックは板材からなり、一方の前記第１の側辺部は、前記一端とは反対側の他端に向かうほど徐々に他方の前記第１の側辺部に向かって傾斜し、該他方の第１の側辺部は、前記一方の第１の側辺部より長さが短く、かつ前記壁板の上端部の構造物内側に掛止可能で、前記第２のフックは板材からなり、前記第２の奥辺部は、回動ピンを介して、前記第１の側辺部と前記奥辺部との連結部分付近に軸支され、前記ロック手段は、前記第１のフックと前記第２のフックとの間に設けられ、かつ前記第１のフックの内側空間と前記第２のフックの内側空間との間に、前記フランジおよび前記壁板のフランジとの連結部分をそれぞれ若干の隙間を有して収納可能な逆Ｌ字収納空間が現出される位置で、両フックを結合させるように構成された請求項１に記載の安全帯用ロープ掛止具である。
【００１４】
請求項２に記載の発明によれば、第１のフックと第２のフックとをそれぞれ板材から構成したので、安全帯用ロープ掛止具が軽量となり、持ち運びがし易い。
また、第１のフックは、一方の第１の側辺部（以下、傾斜辺部）が他端に向かうほど徐々に他方の第１の側辺部（以下、掛止爪辺部）側に傾斜した７字形フックとした。そして、第２のフックの第１のフックに対する軸支位置を、第１のフックの傾斜辺部と第１の奥辺部（以下、水平辺部）との連結部分付近、具体的には両フックの相対的な回動の途中で、第１のフックの内側空間と第２のフックの内側空間との間に、両フックをフランジに沿ってスライドさせる若干の隙間を確保可能な逆Ｌ字収納空間が現出される位置とした。これにより、フランジに対するロープの堅固な掛止状態のまま、作業者はフランジの長さ方向に自由に移動することができる。
【００１５】
また、このように第１のフックを７字形フックとしたので、例えば傾斜辺部が存在しない単純なコの字形状のフックに比べて、傾斜辺部の他端側が壁板側に配置される。すなわち、７字形フックは、単なるコの字形のフックの場合より、フランジの周方向においてフランジを広い範囲で被うことができる。その結果、第１のフック（７字形フック）は、フランジから外れ難くなる。
【００１６】
しかも、このように第１のフックを、上方からフランジに被せられる７字形状としたので、使用時に何らかの理由でロープが安全帯側に引っ張られた際には、ロープの先端部付近の周側面がフランジの外端部に当接し、ロープはこの当接位置を支点とした折れ曲がり状態で緊張される。このときのロープの折れ曲がりの支点は、フランジの外周端がフランジの厚さ方向に単に切断されただけのものの場合、フランジの外周部の上側角部と下側角部という上下２箇所になる。その結果、この７字形フックを使った安全帯用ロープ掛止具は、第１のフックのフランジからの外れ難くさが高まる。仮に、第１のフックとして、単純なコの字形状のフックを使った場合には、前記ロープの折れ曲がり支点は、上記フランジの外周部の上側角部の１箇所のみとなる。そのため、７字形フックに比べれば、単なるコの字フックはフランジから外れ易い。
【００１７】
また、第１のフックを７字形フックとし、かつ両フックを、その相対的な回動の途中で、互いの内側空間の間に逆Ｌ字収納空間が現出されるような位置で軸支したので、第２のフックをフランジに掛止（挿着）する途中で、傾斜辺部の下端部が壁板に当接し、その後、第２のフックの掛止をさらに進めることで、第１のフックが第２のフックとの軸支部分を中心にして回動し、自動的に第１のフックをフランジの上方から被せるように掛止することもできる。
【００１８】
第２のフックの長さは、前記逆Ｌ字収納空間を現出可能な長さである。
両フックにおける互いの軸支位置は限定されない。要は、第１のフックが、両第１の側辺部間でフランジを壁板の厚さ方向から挟み込むように、フランジに上方から掛止可能な位置であるとともに、第２のフックが、両第２の側辺部間でフランジを上下方向から挟み込むように、壁板に対するフランジの屈曲方向からフランジに掛止可能な位置であればよい。
第１フックの内側空間の内壁および第２フックの内側空間の内壁には、非鉄金属または合成樹脂の肉盛り部をそれぞれ設けた方が好ましい。これは、フランジに沿って安全帯用ロープ掛止具をスライドさせた際、両フックの各内側空間の内壁とフランジとが接触して火花が発生しないようにするためである。
逆Ｌ字収納空間とは、両フックの相対的な回動の途中で、両フックの内側空間が重なることで現出される空間である。具体的には、第１のフックの内側空間の形成壁のうち、掛止爪辺部および水平辺部の部分と、第２のフックの内側空間の全部の形成部分と、第２のフックのうち、安全帯用ロープ掛止具のフランジ掛止時に、下側に配置される第２の側辺部の先端側との間で形成される空間である。
【００１９】
請求項３に記載の発明は、前記ロック手段は、両フックにそれぞれ形成された１対のピン孔に、ロックピンを一連に抜き差しするピン掛止構造を有したものである請求項１または請求項２に記載の安全帯用ロープ掛止具である。
【００２０】
請求項３に記載の発明によれば、ロック手段としてピン掛止構造を採用したので、ロック手段の構造が簡単となり、ロック手段、ひいては安全帯用ロープ掛止具を容易かつ安価に製造することができる。
【００２１】
ロックピンの使用本数は１本でもよいし、複数本でもよい。両フックにおけるピン孔の形成数は、ロックピンの使用本数により適宜変更される。
ロックピンを両ピン孔に抜き差しする構造としては、例えば、カンヌキ構造などを採用することができる。
ロックピンの両ピン孔への抜き差し操作は、例えば手動による操作でもよいし、電動シリンダ、ソレノイドなどを用いた自動による操作でもよい。
【発明の効果】
【００２２】
請求項１に記載の発明によれば、安全帯用ロープ掛止具の使用時に、フランジに対する両フックの掛止方向が互いに略９０°異なり、しかもこの角度関係を維持可能なようにロック手段により両フック同士を結合（ロック）するようにしたので、安全帯用ロープ掛止具を利用し、ロープをフランジに堅固に掛止することができる。しかも、フランジに対する掛止作業および掛止解除作業が容易となる。さらに、従来のようにコストが嵩張るローラを使用しないので、低コスト化も図ることができる。
【００２３】
特に、請求項２に記載の発明によれば、第１のフックと第２のフックとをそれぞれ板材から構成したので、安全帯用ロープ掛止具が軽量となり、持ち運びが容易となる。
また、第１のフックを７字形フックとし、かつ両フックを、その相対的な回動の途中で、互いの内側空間の間に逆Ｌ字収納空間が現出されるような位置で軸支したので、フランジにロープを堅固に掛止した状態のまま、作業者はフランジの長さ方向に自由に移動することができる。
【００２４】
さらに、第１のフックを７字形フックとし、その傾斜辺部の下部にロープが固定されるようにしたので、安全帯用ロープ掛止具の使用時、傾斜辺部は、単なるコの字フックの対応部分に比べて、フランジの周方向においてフランジを広い範囲で被うことができる。その結果、第１のフックがフランジから外れ難い。
しかも、このように第１のフックを、上方からフランジに被せる７字形状としたので、使用時にロープが安全帯側に引っ張られた際のロープの折れ曲がり支点は、フランジの外周部の上側角部と下側角部との２箇所になる。その結果、第１のフックのフランジからの外れ難くさを、より以上に高めることができる。
また、第１のフックを７字形フックとし、かつ両フックを、その相対的な回動の途中で、互いの内側空間の間に逆Ｌ字収納空間が現出されるような位置で軸支したので、第２のフックをフランジに掛止（挿着）する途中で、一方の第１の側辺部の下端部が壁板に当接し、その後、第２のフックの掛止をさらに進めることで、第１のフックが第２のフックとの軸支部分を中心にして回動し、自動的に第１のフックをフランジの上方から被せるように掛止することもできる。
【００２５】
請求項３に記載の発明によれば、ロック手段としてピン掛止構造を採用したので、ロック手段の構造が簡単となり、ロック手段、ひいては安全帯用ロープ掛止具を容易かつ安価に製造することができる。
【発明を実施するための最良の形態】
【００２６】
以下、この発明の実施例を説明する。ここでは、石油が貯蔵される浮き屋根式タンクの外周壁の上端部に周設されたアングル鋼（フランジ）に、安全帯に連結されたロープを掛止する安全帯用ロープ掛止具の例を示す。
【実施例１】
【００２７】
図２において、１０はこの発明の実施例１に係る安全帯用ロープ掛止具で、この安全帯用ロープ掛止具１０は、浮き屋根式タンク（構造物）１１の周側壁（壁板）１２の上端部に形成され、かつ周側壁１２の略厚さ方向のタンク外側に９０°屈曲したアングル鋼（フランジ）１３に、ウインドガータＷ上の作業者が装着した安全帯１４に連結されたロープ１５を掛止するものである。
【００２８】
以下、安全帯用ロープ掛止具１０の構成部品を具体的に説明する。
図１および図３〜図７に示すように、安全帯用ロープ掛止具１０は、対向状態で離間した１対の第１の側辺部である長尺な傾斜辺部（一方の第１の側辺部）１６ｂと、短尺な掛止爪辺部（他方の第１の側辺部）１６ｄとの一端同士を、水平辺部（第１の奥辺部）１６ｃにより全体が略コの字形となるように連結した構造を有し、傾斜辺部１６ｂにはロープ１５が連結され、かつ両辺部１６ｂ，１６ｄ間でアングル鋼１３を周側壁１２の厚さ方向から挟み込むように、アングル鋼１３に上方から掛止される第１のフック１６と、対向状態で離間した１対の第２の側辺部１７ａ，１７ｂの一端同士を第２の奥辺部１７ｃにより全体が略コの字形となるように連結した構造を有し、かつ両第２の側辺部１７ａ，１７ｂ間でアングル鋼１３を上下方向から挟み込むように、周側壁１２に対するアングル鋼１３の屈曲方向からアングル鋼１３に掛止される第２のフック１７と、アングル鋼１３に対する第１のフック１６の掛止状態と、アングル鋼１３に対する第２のフック１７の掛止状態とをそれぞれ維持するように、両フック１６，１７を結合させるロック手段１８とを備えている。
【００２９】
第１のフック１６は、７字形を有した鋼製の板材である（図４）。具体的には、第１のフック１６は、傾斜辺部１６ｂが、下端（他端）に向かうほど徐々に図１中の左側の掛止爪辺部１６ｄに向かって傾斜し、掛止爪辺部１６ｄは、傾斜辺部１６ｂより長さが短く、かつ周側壁１２の上端部のタンク内側に掛止可能なものである。傾斜辺部１６ｂの下端部には、ロープ１５の元部が固定（連結）される連結孔１６ａが形成されている。
【００３０】
傾斜辺部１６ｂと水平辺部１６ｃとの連結部分には、回動ピン１９のピン孔１６ｅが形成されている。また、水平辺部１６ｃのピン孔１６ｅ側には、水平辺部１６ｃの長さ方向に長く、後述するロックピン２０が挿入可能な長孔（ピン孔）１６ｆが形成されている。水平辺部１６ｃの先端部付近の外側縁には、第２のフック１７の回動を、第１のフック１６の内側空間と第２のフック１７の内側空間との間に、後述する逆Ｌ字収納空間２１が現出される位置で停止させる１個の回動規制片２２が突設されている。第１のフック１６の内側空間を形成する内壁には、その全長にわたって真鍮製の肉盛り部２３が形成されている。
【００３１】
第２のフック１７は、Ｕ字形状を有した鋼製の板材である（図５）。第２のフック１７は、互いに平行状態で離間しかつ同じ長さを有した１対の第２の側辺部１７ａ，１７ｂと、両第２の側辺部１７ａ，１７ｂの元部を連結する短尺な第２の奥辺部（コの字の屈曲部分）１７ｃとを有している。第２のフック１７の内側空間を形成する内壁には、その全長にわたって前記肉盛り部２３が形成されている。
第２のフック１７は、その第２の奥辺部１７ｃが、回動ピン１９を介して傾斜辺部１６ｂと水平辺部１６ｃとの連結部分付近に軸支されている。第２の奥辺部１７ｃには、回動ピン１９が挿通される孔１７ｄが形成されているとともに、第２のフック１７の裏側が第１のフック１６の表側と対向している。回動ピン１９は、第２のフック１７の厚さ方向に軸線を向けた短尺ボルト１９ａを主体とするボルトナット構造体である。
【００３２】
第２のフック１７の長さ（両第２の側辺部１７ａ，１７ｂの長さ方向の長さ）は、安全帯用ロープ掛止具１０の使用時において、両第２の側辺部１７ａ，１７ｂの先端と第１の掛止爪辺部１６ｄの内側空間側との間に、周側壁１２の上端部が若干の隙間をあけて収納可能な長さとしている。また、第２のフック１７のうち、使用時に前記回動規制片２２に当接される側の側辺部（一方の第２の側辺部）１７ａの幅は、前記水平辺部１６ｃの幅と略同じである。これに対して、残りの側辺部（他方の第２の側辺部）１７ｂの幅は、それらよりも短い。
【００３３】
ロック手段１８は、第１のフック１６の長孔１６ｆと、第２のフック１７のピン孔１７ｅとに、ロックピン２０を一連に抜き差し可能なピン掛止構造を有している。具体的には、一方の第２の側辺部１７ａの元部のうち、第１のフック１６との対向側とは反対側に、先細り形状を有した短尺な二股ブラケット２４が突設されている。二股ブラケット２４の先端部間には、短尺軸２５が横架されている。短尺軸２５の中央部には、ロックピン２０を両ピン孔１６ｆ，１７ｅから引き抜くロック解除レバー２６の裏面から突出した図示しない軸支リングが軸支されている。ロックピン２０の長さ方向の中間部付近には、両端部を貫通して短尺な連結ピン２７が嵌入されている。ロック解除レバー２６の先部は、第２のフック１７の回動ピン１９側に配置されている。
【００３４】
連結ピン２７の両端部に、ロック解除レバー２６の二股となった元部が軸支されている。また、短尺軸２５の両側部には、常時、ロックピン２０を第２のフック１７のピン孔１７ｅに差し込む１対のコイルばね２８がそれぞれ装着されている（図６ａ、図６ｂ）。両コイルばね２８の一端部は、ロック解除レバー２６の裏側にそれぞれ固定されている。一方、両コイルばね２８の他端部は、第２のフック１７の二股ブラケット２４の突設部分の両側に固定されている。ロックピン２０のロック解除は、両コイルばね２８のばね力に抗して、ロック解除レバー２６の先部を第２のフック１７側に押し込むことで行われる（図７ａ、図７ｂ）。すなわち、ロック解除レバー２６が短尺軸２５を中心にして回動することで、連結ピン２７を介して、ロックピン２０をピン孔から引き抜く方向へ移動させる。
【００３５】
次に、この発明の実施例１に係る安全帯用ロープ掛止具１０の使用方法を説明する。
図２に示すように、作業者が装着した安全帯１４のロープ１５を、浮き屋根式タンク１１の外周壁のアングル鋼１３に掛止する際には、まず、両第２の側辺部１７ａ，１７ｂ間でアングル鋼１３を上下方向から挟み込むように、周側壁１２に対するアングル鋼１３の屈曲方向から、第２のフック１７をアングル鋼１３に掛止する（図８）。その後、第１のフック１６を回動ピン１９を中心にして回動させ、傾斜辺部１６ｂと掛止爪辺部１６ｄとの間でアングル鋼１３を周側壁１２の厚さ方向から挟み込むように、第１のフック１６を上方からアングル鋼１３に掛止する（図９）。
【００３６】
このとき、第１のフック１６の回動は、第２のフック１７の一方の側辺部１７ａが回動規制片２２に当接することで規制される。このとき、両フック１６，１７の内側空間の間に逆Ｌ字収納空間２１が現出するとともに、ピン孔１７ｅと長孔１６ｆとが重なり合う。その結果、両コイルばね２８のばね力により、常時、第１のフック１６側に付勢されていたロックピン２０が、第２のフック１７のピン孔１７ｅと第１のフック１６の長孔１６ｆとに一連に差し込まれ、両フック１６，１７が自動的にロックされる（図６ａ，図６ｂ，図９）。これにより、ウインドガータＷ上に乗った作業者の安全が確保される。
【００３７】
その後、作業者は、安全が確保されたままウインドガータＷ上を歩行することができる。これは、安全帯用ロープ掛止具１０において、第１のフック１６を７字形フックとし、第１のフック１６に対する第２のフック１７の軸支位置を、傾斜辺部１６ｂと水平辺部１６ｃとの連結部分付近としたことによる。具体的には、両フック１６，１７の相対的な回動の途中で、第１のフック１６の内側空間と第２のフック１７の内側空間との間に、アングル鋼１３に沿った安全帯用ロープ掛止具１０のスライドを可能とする逆Ｌ字収納空間２１が現出されるような位置で、両フック１６，１７を軸支したので、アングル鋼１３にロープ１５を堅固に掛止した状態で、作業者はアングル鋼１３の長さ方向に自由に移動することができる。
【００３８】
一方、ロックピン２０のロック解除時には、両コイルばね２８のばね力に抗して、ロック解除レバー２６の先部を第２のフック１７側に押し込む（図７ａ、図７ｂ）。これにより、ロック解除レバー２６が短尺軸２５を中心にして回動し、連結ピン２７を介して、ロックピン２０が長孔から引き抜かれる。
【００３９】
このように、安全帯用ロープ掛止具１０の使用時に、アングル鋼１３に対する両フック１６，１７の掛止方向が互いに略９０°異なり、しかもこの角度関係を維持可能なようにロック手段１８により両フック１６，１８を結合させるように構成したので、安全帯用ロープ掛止具１０を利用し、ロープ１５をアングル鋼１３に堅固に掛止することができる。しかも、アングル鋼１３に対する安全帯用ロープ掛止具１０の掛止作業および掛止解除作業が容易となる。さらに、従来のようにコストが嵩張るローラを使用しないので、安全帯用ロープ掛止具１０の低コスト化も図ることができる。
【００４０】
また、第１のフック１６と第２のフック１７とをそれぞれ板材から構成したので、安全帯用ロープ掛止具１０が軽量となり、持ち運びがし易い。
さらに、第１のフック１６を７字形フックとし、その傾斜辺部１６ｂの下部にロープ１５が固定されるように構成したので、安全帯用ロープ掛止具１０の使用時、傾斜辺部１６ｂは、例えば傾斜辺部１６ｂを有しない単なるコの字フックの対応部分のときに比べて、傾斜辺部１６ｂの下部が周側壁１２側に配置されることになる。すなわち、７字形フックは、単なるコの字形のフックの場合より、アングル鋼１３の周方向においてアングル鋼１３を広い範囲で被うことができる。その結果、第１のフック１６が、アングル鋼１３から外れ難くなる。
【００４１】
しかも、このように第１のフック１６を、上方からアングル鋼１３に被せられる７字形状としたので、使用時に何らかの理由でロープ１５が安全帯１４側に引っ張られた際には、ロープ１５の先端部付近がアングル鋼１３の外端部に当接し、ロープ１５はこの当接位置を支点とした折れ曲がり状態で緊張される。このときのロープ１５の折れ曲がり支点は、アングル鋼１３の外周端がアングル鋼１３の厚さ方向に単に切断されただけのもの（汎用のアングル鋼）の場合、アングル鋼１３の外周部の上側角部と下側角部という上下２箇所になる。
【００４２】
その結果、７字形フックを使用した安全帯用ロープ掛止具１０は、第１のフック１６のアングル鋼１３からの外れ難くさが高まる。仮に、第１のフック１６として、単純なコの字形状のフックを使った場合には、前記ロープ１５の折れ曲がり支点は、上記アングル鋼１３の外周部の上側角部の１箇所のみとなる。そのため、７字形フックに比べれば、第１のフック１６はアングル鋼１３から外れ易くなる。
【００４３】
また、第１のフック１６を７字形フックとし、かつ両フック１６，１７を、その相対的な回動の途中で、互いの内側空間の間に逆Ｌ字収納空間２１が現出されるような位置で軸支したので、第２のフック１７をアングル鋼１３に掛止する途中で、傾斜辺部１６ｂの下端部が壁板に当接し、その後、第２のフック１７の掛止をさらに進めることで、第１のフック１６が第２のフック１７との軸支部分を中心にして回動し、自動的に第１のフック１６をアングル鋼１３の上方から被せるように掛止することもできる。しかも、掛止と同時に、自動的にロック手段１８により両フック１６，１７が結合される。
さらに、ロック手段１８としてピン掛止構造を採用したので、ロック手段１８の構造が簡単となり、ロック手段１８、ひいては安全帯用ロープ掛止具１０を容易かつ安価に製造することができる。
【図面の簡単な説明】
【００４４】
【図１】この発明の実施例１に係る安全帯用ロープ掛止具の斜視図である。
【図２】この発明の実施例１に係る安全帯用ロープ掛止具の使用状態を示す概略正面図である。
【図３】この発明の実施例１に係る安全帯用ロープ掛止具の一部破断部分を含む平面図である。
【図４】この発明の実施例１に係る安全帯用ロープ掛止具の一部を構成する第１のフックの正面図である。
【図５】この発明の実施例１に係る安全帯用ロープ掛止具の一部を構成する第２のフックの正面図である。
【図６ａ】この発明の実施例１に係る安全帯用ロープ掛止具の一部を構成するロック手段による両フックの掛止状態を示す一部断面部分を含む要部拡大側面図である。
【図６ｂ】この発明の実施例１に係る安全帯用ロープ掛止具の一部を構成するロック手段による両フックの掛止状態を示す一部断面部分を含む要部拡大平面図である。
【図７ａ】この発明の実施例１に係る安全帯用ロープ掛止具の一部を構成するロック手段による両フックの掛止解除状態を示す一部断面部分を含む要部拡大側面図である。
【図７ｂ】この発明の実施例１に係る安全帯用ロープ掛止具の一部を構成するロック手段による両フックの掛止解除状態を示す一部断面部分を含む要部拡大平面図である。
【図８】この発明の実施例１に係る安全帯用ロープ掛止具の一部を構成する第２のフックの掛止状態を示す一部断面部分を含む正面図である。
【図９】この発明の実施例１に係る安全帯用ロープ掛止具の一部を構成する第１のフックの掛止状態を示す一部断面部分を含む正面図である。
【符号の説明】
【００４５】
１０  安全帯用ロープ掛止具、
１１  浮き屋根式タンク（構造物）、
１２  周側壁（壁板）、
１３  アングル鋼（フランジ）、
１４  安全帯、
１５  ロープ、
１６  第１のフック、
１６ｂ  傾斜辺部、
１６ｃ  水平辺部、
１６ｄ  掛止爪辺部、
１６ｆ  ピン孔、
１７  第２のフック、
１７ｅ  長孔（ピン孔）、
１８  ロック手段、
１９  回動ピン、
２０  ロックピン、
２１  逆Ｌ字収納空間。
【図１】
2007075351.tif 000003
【図２】
2007075351.tif 000004
【図３】
2007075351.tif 000005
【図４】
2007075351.tif 000006
【図５】
2007075351.tif 000007
【図６ａ】
2007075351.tif 000008
【図６ｂ】
2007075351.tif 000009
【図７ａ】
2007075351.tif 000010
【図７ｂ】
2007075351.tif 000011
【図８】
2007075351.tif 000012
【図９】
2007075351.tif 000013